(57)【特許請求の範囲】
【請求項１】
勾配を有する被取付け部材に前記被取付け部材の勾配方向に複数の太陽電池モジュールを敷設すると共に隣接する太陽電池モジュールの間に該太陽電池モジュールの間の隙間に沿い棒状目地材を配置し、
前記棒状目地材は、
隣接する太陽電池モジュールの端面の間に挟まれ、前記間隙に位置するとともに先端面が前記太陽電池モジュールの表面と面一に配置される突出部と、
前記太陽電池モジュールの隣接する端縁の下面を支える支持縁部と、
を含み、隣接する太陽電池モジュールの端面の隙間を塞ぎ配置され、
更に、前記太陽電池パネルの端部と前記棒状目地材の長手方向の端部を支持するパネル用支持部材と、
前記棒状目地材の中間部を支持する中間支持部材と
を有することを特徴とする太陽電池一体型パネル。
【請求項２】
前記中間支持部材は、前記棒状目地材を表側から押さえる目地固定板を備え、前記中間支持部材と前記棒状目地材との間で前記棒状目地材を挟み込んで前記棒状目地材を前記中間支持部材に固定し、前記棒状目地材を支えるようにしたことを特徴とする請求項１に記載の太陽電池一体型パネル。
【請求項３】
隣り合う太陽電池モジュール一体型パネルを有し、この隣り合う太陽電池モジュール一体型パネル同士の対向端部の間に位置して前記パネル用支持部材を配置し、前記パネル用支持部材は、該前記パネル用支持部材の全長に亘って互いに上下に重なり合う突出部を設け、この突出部同士の対向面間に前記太陽電池モジュール一体型パネルの端縁とシール材を挟み込むことを特徴とする請求項１または請求項２に記載の太陽電池一体型パネル。
【請求項４】
前記パネル用支持部材は、支持する一対の太陽電池モジュール支持部間に形成される隙間を覆うカバー部材を保持する保持部を有し、前記カバー部材は、前記パネル用支持部材の長手方向の一端側から差し込んで前記保持部に保持されることを特徴とする請求項１、請求項２または請求項３に記載の太陽電池一体型パネル。
【請求項５】
前記パネル用支持部材は、内部に雨水の流路を形成したことを特徴とする請求項１〜４のいずれかに記載の太陽電池一体型パネル。
【発明の詳細な説明】
【０００１】
【発明の属する技術分野】
この発明は、住宅屋根等の勾配を有する被取付け部材（パネル）にフレームレス太陽電池モジュールを取り付ける、フレームレス太陽電池モジュールの取付け構造及び太陽電池一体型パネルにおける太陽電池モジュールの支持構造に関する。
【０００２】
【従来の技術】
住宅屋根等に太陽電池モジュールを搭載し、太陽エネルギーを電気に変換して利用する技術が知られている。例えば特開平１０−２３１６００号公報は、フレームレス太陽電池モジュールの取付け構造であって、屋根の棟側に位置する太陽電池モジュールと軒側に位置する太陽電池モジュールとの間に接着取付け用鍔部を有する接合部材を設け、太陽電池モジュール同士を接合部材を介して接合するものである。
【０００３】
また、特開２０００−２２０２６７号公報は、太陽電池モジュール一体型パネル同士を接合する部分のシール性を確保するために、屋根材に敷設した防水シートを屋根材の端部より延長し、防水シートの端部同士を接合したものである。さらに、特開２０００−３４５６７０号公報は、隣合う太陽電池モジュール間に太陽電池モジュールの端部と嵌合する嵌合部及び凹溝を有する取付け枠を設け、この取付け枠の凹溝をジョイントカバーによって覆ったものである。
【０００４】
【発明が解決しようとする課題】
しかしながら、特開平１０−２３１６００号公報は、接合部材が太陽電池モジュールの表面上に位置する鍔部を有しており、この鍔部が太陽電池モジュールの表面に段差を形成する構造となる。そして、この段差部は屋根面の雨水等の流れを妨げ、塵埃等が堆積し、発電性能が低下するという問題がある。
【０００５】
また、特開２０００−２２０２６７号公報及び特開２０００−３４５６７０号公報は、隣合う太陽電池モジュールを組み合せた後に、太陽電池モジュール間の防水施工のためのシール材やカバー材を取り付ける構造であり、施工が困難であると共に、屋根上での高所の作業となり、危険性も伴うという問題がある。
【０００６】
この発明は、前記事情に着目してなされたもので、その目的とするところは、屋根等の勾配方向に隣合うフレームレス太陽電池モジュール間に棒状目地材を挟んでフレームレス太陽電池モジュールを敷設し、前記棒状目地材の全長がフレームレス太陽電池モジュールの表面から突出しないように構成し、フレームレス太陽電池モジュールの雨水等の流れを妨げることなく、塵埃等の堆積を防止できるフレームレス太陽電池モジュールの取付け構造を提供することにある。
【０００７】
さらに、隣合うパネル同士の対向端部に太陽電池モジュール支持部材を設け、これら一対の太陽電池モジュール支持部材に漏水防止用のシール材を一体に形成することにより、別々に設けるものよりスペースを節約でき、コンパクトになる。これによりパネル表面に取り付ける太陽電池の寸法を大きくすることができる。また、隣合う太陽電池モジュール一体型パネル間の隙間からの支持部材に雨水が浸入しても、シール材によって漏水を防止できる太陽電池モジュール一体型パネルにおける太陽電池モジュールの支持構造を提供することにある。
【０００８】
【課題を解決するための手段】
前記目的を達成するために、請求項１の発明は、勾配を有する被取付け部材に前記被取付け部材の勾配方向に複数の太陽電池モジュールを敷設すると共に隣接する太陽電池モジュールの間に該太陽電池モジュールの間の間隙に沿い棒状目地材を配置し、
前記棒状目地材は、隣接する太陽電池モジュールの端面の間に挟まれ、前記間隙に位置するとともに先端面が前記太陽電池モジュールの表面と面一に配置される突出部と、
前記太陽電池モジュールの隣接する端縁の下面を支える支持縁部と、
を含み、隣接する太陽電池モジュールの端面の隙間を塞ぎ配置され、
更に、前記太陽電池パネルの端部と前記棒状目地材の長手方向の端部を支持するパネル用支持部材と、
前記棒状目地材の中間部を支持する中間支持部材と
を有することを特徴とする太陽電池一体型パネルである。
【０００９】
請求項２の発明は、請求項１に記載の太陽電池一体型パネルにおいて、前記中間支持部材は、前記棒状目地材を表側から押さえる目地固定板を備え、前記中間支持部材と前記棒状目地材との間で前記棒状目地材を挟み込んで前記棒状目地材を前記中間支持部材に固定し、前記棒状目地材を支えるようにしたことを特徴とする。
【００１０】
請求項３の発明は、請求項１または請求項２に記載の太陽電池一体型パネルにおいて、隣り合う太陽電池モジュール一体型パネルを有し、この隣り合う太陽電池モジュール一体型パネル同士の対向端部の間に位置して前記パネル用支持部材を配置し、前記パネル用支持部材は、該パネル用支持部材の全長に亘って互いに上下に重なり合う突出部を設け、この突出部同士の対向面間に前記太陽電池モジュール一体型パネルの端縁とシール材を挟み込むことを特徴とする。
【００１１】
請求項４の発明は、請求項１、請求項２または請求項３に記載の太陽電池一体型パネルにおいて、前記パネル用支持部材は、支持する一対の太陽電池モジュール支持部間に形成される隙間を覆うカバー部材を保持する保持部を有し、前記カバー部材は、前記パネル用支持部材の長手方向の一端側から差し込んで前記保持部に保持されることを特徴とする。
請求項５の発明は、請求項１〜４のいずれかに記載の太陽電池一体型パネルにおいて、前記パネル用支持部材は、内部に雨水の流路を形成したことを特徴とする。
【００１２】
請求項１の発明によれば、被取付け部材の勾配方向に隣接する太陽電池モジュール間に介在される棒状目地材の上面が太陽電池モジュールの表面と面一となり、雨水の流れを妨げることはなく、塵埃等の堆積を防止できる。
【００１３】
請求項３の発明によれば、隣り合う太陽電池モジュール一体型パネルの対向端部に太陽電池モジュール支持部材を設け、この支持部材により隣り合うパネルの対向端部を漏水防止用のシール材と一体に挟み込み、隣り合うパネルの対向端部に支持することで支持部材を別々に設ける場合よりもスペースを節約でき、コンパクトになる。また、隣り合う太陽電池モジュール一体型パネル間の隙間からの支持部材に雨水が浸入しても前記シール材によって漏水を防止できるようになる。
【００１４】
請求項４の発明によれば、パネル間の合わせ目の隙間を覆うカバー部材を太陽電池モジュール支持部材の長手方向の一端側から差込むことができ、太陽電池一体型パネルの組立作業性を向上できる。
【００１５】
請求項５の発明によれば、太陽電池モジュール支持部材に雨水が浸入しても雨水は流路に沿って排水される。
【００１６】
【発明の実施の形態】
以下、この発明の実施の形態を図面に基づいて説明する。
【００１７】
図１〜図８は第１の実施形態を示す。図１は切妻型の住宅屋根を示し、梁１１には複数本の棟束１２が立設され、棟束１２には棟木１３が傾斜して設けられている。棟木１３の一方の屋根斜面には通常の金属瓦等の瓦屋根１４が設けられ、他方の屋根斜面の被取付け部材には太陽電池一体型パネル１５が設けられている。図１の実施形態においては、左側部がケラバ用太陽電池一体型パネル１６で、右側部が太陽電池一体型中間パネル１７であり、これらは工場において各々組み立てられ、施工現場に運搬して組み合わされて施工されるものである。
【００１８】
ケラバ用太陽電池パネル１６と太陽電池一体型中間パネル１７は基本的には同一構造であり、図２及び図３に基づいてケラバ用太陽電池一体型パネル１６について説明すると、平行に配置された複数本の鋼製フレーム１８には合板製の野地板１９が固定され、棟軒方向に長い矩形状に構成されている。
【００１９】
この野地板１９の上面には防水用のアスファルトルーフィング２０が敷設されており、このアスファルトルーフィング２０の上面には不燃材としての複数枚の下地鋼板２１が敷設されている。この下地鋼板２１の棟軒方向に隣合う縁部は互いに重ねた状態で敷設され、太陽電池支持パネル２２が構成されている。
【００２０】
図４に示すように、太陽電池支持パネル２２の左側部近傍には第１の太陽電池モジュール支持部材（以下、第１の支持部材２３という）、中間部には第２の太陽電池モジュール支持部材（以下、第２の支持部材２４という）、右側部には第３の太陽電池モジュール支持部材（以下、第３の支持部材２５という）が配置され、これら支持部材２３，２４，２５はビス２６によって太陽電池支持パネル２２に固定される。
【００２１】
第１と第２の支持部材２３，２４の間隔及び第２と第３の支持部材２４，２５の間隔は、矩形状のフレームレス太陽電池モジュール２６ａ，２６ｂの長手方向の寸法に合わせて設定されている。
【００２２】
ここで、フレームレス太陽電池モジュール２６ａ，２６ｂを構成する太陽電池は、結晶シリコン型、多結晶シリコン型、非晶質シリコン型（アモルファス型）の半導体のいずれのものも使用可能であり、何ら限定されるものではないが、多結晶型、アモルファス型等の薄膜光電変換装置が好ましく使用可能である。薄膜光電変換装置は、中でもアモルファス型や、アモルファス型と多結晶型を重ね合わせたタンデム型がより好ましく使用可能である。
【００２３】
第１と第２の支持部材２３，２４は同一構造であり、アルミニウム等の押出し成形によって形成され、長手方向に全長に亘って同一断面形状に形成されている。すなわち、第１の支持部材２３について説明すると、図５に示すように、下部部材２３ａと上部部材２３ｂとに２分割されている。
【００２４】
下部部材２３ａを構成する帯状のベース２７の下面には長手方向に亘って凹陥部２８が設けられ、この凹陥部２８には下地鋼板２１に接触するゴムシート２９が接着されている。ベース２７の両側縁には上方へ突出するボックス断面形状の一対の凸部３０が左右対称的に設けられている。これら凸部３０の互いに対向する側面には係合部３１が設けられ、上面には長手方向に亘って係合孔３２が設けられている。この下部部材２３ａのベース２７はゴムシート２９を貫通するビス２６によって太陽電池支持パネル２２に固定されている。
【００２５】
上部部材２３ｂを構成する覆い板３３の両側縁には下方へ突出するボックス断面形状の一対の凸部３４が左右対称的に設けられている。これら凸部３４の互いに対向する側面には下方へ突出する一対の突出片３５が設けられ、これら突出片３５には前記係合部３１に弾性係合する係合爪３６が設けられ、下面には長手方向に亘って係合孔３７が設けられている。
【００２６】
そして、下部部材２３ａと上部部材２３ｂとによって前記太陽電池モジュール２６ａ，２６ｂの長手方向の両端部を挟持し、太陽電池モジュール２６ａ，２６ｂを下地鋼板２１と離間して支持するようになっている。
【００２７】
フレームレス太陽電池モジュール２６ａ，２６ｂの長手方向の両端部はゴムまたは合成樹脂材料からなるガスケット３８に支持されるようになっている。すなわち、ガスケット３８は上下に２分割され、分割面にはフレームレス太陽電池モジュール２６ａ，２６ｂの端部に嵌合する嵌合溝３８ａが設けられると共に、下方へ突出する下部の係合突起３９と上方へ突出する上部の係合突起４０が一体に設けられている。
【００２８】
そして、ガスケット３８の下部の係合突起３９を下部部材２３ａの係合孔３２に位置決めし、上部の係合突起４０に上部部材２３ｂの係合孔３７を位置決めし、ガスケット３８を挟み込むように下部部材２３ａに対して上部部材２３ｂを押し込むことにより、下部の係合突起３９が係合孔３２に係合し、上部の係合突起４０が上部部材２３ｂの係合孔３７に係合する。これと同時に、係合爪３６が係合部３１に弾性係合して下部部材２３ａと上部部材２３ｂが一体的に結合される。従って、下部部材２３ａに対して上部部材２３ｂを押し込むことにより、ガスケット３８を保持することができる。
【００２９】
次に、第３の支持部材２５について説明すると、図６に示すように、左右に隣合う太陽電池モジュール２６ａの右方の端部を支持する左側支持部４１とフレームレス太陽電池モジュール２６ｂの左方の端部を支持する右側支持部４２とから構成されている。
【００３０】
左側支持部４１について説明すると、下部部材２５ａと上部部材２５ｂとに２分割されている。下部部材２５ａを構成する帯状のベース４３の下面には長手方向に亘って凹陥部４４が設けられ、この凹陥部４４には下地鋼板２１に接触するゴムシート４５が接着されている。ベース４３の一側縁には上方へ突出するボックス断面形状の凸部４６が設けられている。この凸部４６の上面には長手方向に亘って係合孔４７が設けられているとともに、右側支持部４２方向に水平に突出する突出片４８が設けられている。
【００３１】
さらに、ベース４３の他側縁には上方へ突出する垂直突出部４９が設けられ、この垂直突出部４９の上端部には凸部４６方向に水平に突出する水平突出部５０が設けられている。そして、この下部部材２５ａのベース４３はゴムシート４５を貫通するビス２６によって太陽電池支持パネル２２に固定されている。
【００３２】
上部部材２５ｂを構成する覆い板５１は突出片４８の上面に設けられる帯状板状体であり、後述するガスケットを介して下部部材２５ａの突出片４８にビス２６によって固定されるようになっている。そして、突出片４８と覆い板５１とによって被嵌合部４１ａが形成されている。
【００３３】
右側支持部４２について説明すると、下部部材２５ｃと上部部材２５ｄとに２分割されている。下部部材２５ｂを構成する帯状のベース５２の下面には長手方向に亘って凹陥部５３が設けられ、この凹陥部５３には下地鋼板２１に接触するゴムシート５４が接着されている。ベース５２の一側縁には上方へ突出するボックス断面形状の一対の凸部５５が設けられている。この凸部５５の上面には長手方向に亘って係合孔５６が設けられているとともに、左側支持部４１方向に水平に突出し、左側支持部４１の水平突出部５０の上面に対向する水平突出部５７が設けられている。この水平突出部５７の上面には第３の支持部材２５の内部に浸入した雨水を排水する樋状の流路５７ａが設けられている。
【００３４】
さらに、水平突出部５７には上方へ突出する垂直突出部５８が設けられ、この垂直突出部５８の上端部には左側支持部４１方向に水平に突出する突出片５９が設けられている。そして、この下部部材２５ｃのベース５２はゴムシート５４を貫通するビス２６によって太陽電池支持パネル２２に固定されている。
【００３５】
上部部材２５ｄを構成する覆い板６０は突出片５９の上面に設けられる帯状板状体であり、後述するガスケットを介して下部部材２５ｃの突出片５９にビス２６によって固定されるようになっている。そして、突出片５９と覆い板６０とによって被嵌合部４２ａが形成されている。
【００３６】
そして、左側支持部４１と右側支持部４２の下部部材２５ａ，２５ｃと上部部材２５ｂ，２５ｄとによって前記フレームレス太陽電池モジュール２６ａ，２６ｂの長手方向の両端部を挟持し、フレームレス太陽電池モジュール２６ａ，２６ｂを下地鋼板２１と離間して支持するようになっている。
【００３７】
フレームレス太陽電池モジュール２６ａ，２６ｂの長手方向の両端部はゴムまたは合成樹脂材料からなるガスケット６１に支持されるようになっている。すなわち、ガスケット６１にはフレームレス太陽電池モジュール２６ａ，２６ｂの端部に係合する係合部６１ａが設けられていると共に、下方へ突出する下部係合突起６２と水平へ突出する被挟持片６３が一体に設けられている。
【００３８】
そして、左右に隣合うフレームレス太陽電池モジュール２６ａ，２６ｂと係合するガスケット６１の下部係合突起６１を下部部材２５ａ，２５ｃの係合孔４７，５６に位置決めし、下部係合突起６１を係合孔４７，５６に押し込むことにより、下部係合突起６１が係合孔４７，５６に係合する。次に、ガスケット６１の被挟持片６３に覆い板５１，６０を重ね、この覆い板５１，６０をビス２６によって突出片４８，５９に固定することにより、フレームレス太陽電池モジュール２６ａ，２６ｂの端部を保持することができる。
【００３９】
また、左側支持部４１と右側支持部４２とを結合する際には、左側支持部４１の水平突出部と右側支持部４２の水平突出部５０と５７との間に防水用のシール材６４を介在した状態で、左側支持部４１と右側支持部４２との間に形成される間隙部６５をカバー材６６によって閉塞することができる。
【００４０】
カバー材６６は太陽電池支持パネル２２の長手方向に沿って長い帯状板状体の両側縁に保持部としての断面がコ字状の嵌合溝６７が設けられ、この嵌合溝６７は左側支持部４１と右側支持部４２の被嵌合部４１ａ，４２ａに嵌合した状態で間隙部６５を閉塞するようになっている。
【００４１】
この場合、左側支持部４１と右側支持部４２の被嵌合部４１ａ，４２ａは長手方向に亘って同一断面形状に形成されているとともに、カバー材６６も長手方向に亘って同一断面形状に形成されている。従って、第３の支持部材２５の長手方向の一端側（軒側）からカバー材６５の嵌合溝６７を被嵌合部４１ａ，４２ａに差し込むことにより取り付けることができ、作業者が屋根に乗ることなく、カバー材６５を取り付けることができる。
【００４２】
また、第１と第２の支持部材２３，２４との間及び第２と第３の支持部材２４，２５の間には中間支持部材７０が設けられている。中間支持部材７０のベース７１の下面には長手方向に亘って凹陥部７２が設けられ、この凹陥部７２には下地鋼板２１に接触するゴムシート７３が接着されている。ベース７１の両側縁には上方へ突出する垂直突出部７４及びこの上端部から互いに対向する方向に水平に突出する水平突出部７５を有し、これら水平突出部７５間には長手方向に亘って係合溝７６が設けられている。
【００４３】
さらに、太陽電池支持パネル２２の長手方向（屋根の勾配方向）に隣合うフレームレス太陽電池モジュール２６ａ，２６ｂの相互間には数ｍｍ程度の隙間７７を介して配置され、これら隙間７７には棒状目地材７８が介在されている。この棒状目地材７８は、図７及び図８に示すように、例えばアルミニウム等の角棒状体であり、１枚のフレームレス太陽電池モジュール２６ａ，２６ｂの長手方向の長さの１／２に等しく、長手方向の両側部にはフレームレス太陽電池モジュール２６ａ，２６ｂと棒状目地材７８との隙間を隠す支持縁７８ａが設けられていると共に、長手方向の両端部には突起７９が設けられている。この突起７９の一方は第１〜第３の支持部材２３〜２５のガスケット３８，６１の嵌合溝３８ａ，６１ａに嵌合され、他方は目地材固定板８０に固定されるようになっている。
【００４４】
目地材固定板８０は矩形状の板状体であり、その中間部における下面には下方に突出し、中間支持部材７０の係合溝７６に係合する突出部８１が設けられている。目地材固定板８０の長手方向の両端部にはビス孔８２が設けられ、このビス孔８２にはビス２６が挿通され、ビス２６は棒状目地材７８を貫通して中間支持部材７０に固定されている。従って、第１〜第３の支持部材２３〜２５のガスケット３８，６１の嵌合溝３８ａ，６１ａに一端部が嵌合支持された棒状目地材７８の他端部は、中間支持部材７０と目地材固定板８０とによって固定されている。
【００４５】
さらに、棒状目地材７８は隣合うフレームレス太陽電池モジュール２６ａ，２６ｂの表面から突出することなく、また没入することなく、フレームレス太陽電池モジュール２６ａ，２６ｂの表面と同一平面上にあり、かつフレームレス太陽電池モジュール２６ａ，２６ｂの相互間の隙間７７を塞いでいる。
【００４６】
また、太陽電池支持フレーム２２の左端部には破風板８３が取り付けられ、この破風板８３と第１の支持部材２３との間で、かつ太陽電池支持フレーム２２の上面には支持棒８４を介してケラバ化粧板８５が設けられている。
【００４７】
前記構成によれば、被取付け部材としての住宅屋根の勾配方向に隣接するフレームレス太陽電池モジュール２６ａ，２６ｂ間に介在される棒状目地材７８の上面がフレームレス太陽電池モジュール２６ａ，２６ｂの表面と面一となり、雨水の流れを妨げることはなく、塵埃等の堆積を防止できる。また、太陽電池モジュール一体型パネル１５の隣合うパネル同士の対向端部に太陽電池モジュール支持部材としての第３の支持部材２５を設け、これら一対の第３の支持部材２５に設けた水平突出部５０，５７同士の対向面間にシール材６４を挟み込むことにより、第３の支持部材２５に雨水が浸入しても、シール材６４によって漏水を防止できる。また、水平突出部５７の上面には雨水を流す通路５７ａが形成されているため、浸入した雨水を排水することができる。
【００４８】
図９は第２の実施形態を示し、第１の実施形態と同一構成部分は同一番号を付して説明を省略する。
【００４９】
本実施形態の第３の支持部材１２５は、左右に隣合うフレームレス太陽電池モジュール２６ａ，２６ｂの左方の端部を支持する左側支持部１４１とフレームレス太陽電池モジュール２６ａ，２６ｂの右方の端部を支持する右側支持部１４２とから構成されている。
【００５０】
左側支持部１４１について説明すると、下部部材１２５ａと上部部材１２５ｂとに２分割されている。下部部材１２５ａを構成するボックス断面形状の凸部４６の上面には長手方向に亘って係合孔４７と嵌合溝１４８が設けられ、この嵌合溝１４８の両側面には互いに対向する係合部１４８ａが設けられている。
【００５１】
上部部材１２５ｂを構成する覆い板１５１には下部部材１２５ａの係合孔４７と対向する係合孔１５２及び嵌合溝１４８に嵌合する突出片１５３が設けられ、この突出片１５３には係合部１４８ａに係合する係合爪１５３ａが設けられている。さらに、覆い板１５１の側部にはスリット状の被嵌合部１４１ａが形成されている。
【００５２】
右側支持部１４２について説明すると、下部部材１２５ｃと上部部材１２５ｄとに２分割されている。下部部材１２５ｂの水平突出部５７には嵌合溝１５４が設けられ、この嵌合溝１５４の両側面には互いに対向する係合部１５４ａが設けられている。
【００５３】
上部部材１２５ｄを構成する覆い板１５５には下部部材１２５ｃの係合孔４７と対向する係合孔１５６及び嵌合溝１５４に嵌合する突出片１５７が設けられ、この突出片１５７には係合部１５４ａに係合する係合爪１５７ａが設けられている。さらに、覆い板１５５の側部にはスリット状の被嵌合部１４２ａが形成されている。
【００５４】
フレームレス太陽電池モジュール２６ａ，２６ｂの長手方向の両端部はゴムまたは合成樹脂材料からなるガスケット１６１に支持されるようになっている。すなわち、ガスケット１６１にはフレームレス太陽電池モジュール２６ａ，２６ｂの端部に係合する係合部１６１ａが設けられていると共に、上下へ突出する係合突起１６２が一体に設けられている。
【００５５】
そして、左右に隣合うフレームレス太陽電池モジュール２６ａ，２６ｂのそれぞれのガスケット１６１の係合突起１６２を下部部材１２５ａ，１２５ｃの係合孔４７，５６に位置決めし、係合突起１６２を係合孔４７，５６に押し込むことにより、係合突起１６２が係合孔４７，５６に係合する。
【００５６】
次に、ガスケット１６１の係合突起１６２に覆い板１５１，１５５の係合孔１５２，１５６を位置決めするとともに、突出片１５３，１５７を嵌合溝１４８，１５４に位置決めする。そして、ガスケット１６１を挟み込むように下部部材１２５ａ，１２５ｃに対して上部部材１２５ｂ，１２５ｄを押し込むことにより、係合突起１６２が係合孔１５２，１５６に係合する。また、同時に、突出片１５３，１５７の係合爪１５３ａ，１５７ａが嵌合溝１４８，１５４の係合部１４８ａ，１５４ａに係合する。
【００５７】
また、カバー材１６６は太陽電池支持パネル２２の長手方向に沿って長い帯状板状体の両側縁に鍔部１６７が設けられ、この鍔部１６７は左側支持部１４１と右側支持部１４２の被嵌合部１４１ａ，１４２ａに挿入した状態で間隙部１６５を閉塞するようになっている。
【００５８】
この場合、左側支持部１４１と右側支持部１４２の被嵌合部１４１ａ，１４２ａは長手方向に亘って同一断面形状に形成されているとともに、カバー材１６６も長手方向に亘って同一断面形状に形成されている。従って、第３の支持部材１２５の長手方向の一端側からカバー材１６５の鍔部１６７を被嵌合部１４１ａ，１４２ａに差し込むことにより取り付けることができる。
【００５９】
従って、第３の支持部材１２５の長手方向の一端側（軒側）からカバー材１６６の鍔部１６７を被嵌合部１４１ａ，１４２ａに差し込むことにより取り付けることができ、作業者が屋根に乗ることなく、カバー材１６６を取り付けることができる。
【００６０】
図１０は第３の実施形態を示し、第１の実施形態と同一構成部分は同一番号を付して説明を省略する。
【００６１】
本実施形態の棒状目地材１７８は、例えばアルミニウム等の角棒状体であり、１枚のフレームレス太陽電池モジュール２６ａ，２６ｂの長手方向の長さに等しく形成されている。この棒状目地材１７８の長手方向の中間部にはビス孔１７９が設けられている。また、目地材固定板１８０は矩形状の板状体であり、この目地材固定板１８０の長手方向の両端部にはビス孔１８２が設けられ、このビス孔１８２にはビス２６が挿通され、ビス２６は棒状目地材１７８のビス孔１７９を貫通して中間支持部材７０に固定される。
【００６２】
なお、前記実施形態においては、左側部がケラバ用太陽電池一体型パネルで、右側部が太陽電池を２列取り付けた太陽電池一体型中間パネルの場合について説明したが、右側部がケラバ用太陽電池一体型パネル、太陽電池を１列取り付けた太陽電池一体型中間パネルの場合も同様である。
【００６３】
また、住宅屋根に太陽電池一体型パネルを搭載する場合について説明したが、ビルの屋上や庭にフレームを構築し、このフレームに太陽電池一体型パネルを取り付ける場合においても適用できる。
【００６４】
【発明の効果】
以上説明したように、請求項１の発明によれば、被取付け部材の勾配方向に隣接する太陽電池モジュール間に介在される棒状目地材の上面が太陽電池モジュールの表面と面一となり、雨水の流れを妨げることはなく、塵埃等の堆積を防止できる。
【００６５】
請求項３の発明によれば、隣り合う太陽電池モジュール一体型パネルの対向端部に太陽電池モジュール支持部材を設け、この支持部材により隣り合うパネルの対向端部を漏水防止用のシール材と一体に挟み込み、隣り合うパネルの対向端部に支持することで支持部材を別々に設ける場合よりもスペースを節約でき、コンパクトになる。また、パネル表面に取り付ける太陽電池の寸法を大きくできるようになる。また、隣り合う太陽電池モジュール一体型パネル間の隙間からの支持部材に雨水が浸入しても前記シール材によって漏水を防止できるようになる。
【００６６】
請求項４の発明によれば、パネル間の合わせ目の隙間を覆うカバー部材を太陽電池モジュール支持部材の長手方向の一端側から差込むことができ、太陽電池一体型パネルの組立作業性を向上できる。
【００６７】
請求項５の発明によれば、太陽電池モジュール支持部材に雨水が浸入しても雨水は流路に沿って排水される。
【図面の簡単な説明】
【図１】この発明の第１の実施形態を示し、住宅屋根に太陽電池一体型パネルを搭載した状態の斜視図。
【図２】同実施形態を示し、フレームレス太陽電池モジュールの取付け構造の分解斜視図。
【図３】同実施形態を示し、フレームレス太陽電池モジュールの取付け構造の斜視図。
【図４】同実施形態を示し、フレームレス太陽電池モジュールの取付け構造の縦断正面図。
【図５】同実施形態を示し、(ａ)はフレームレス太陽電池モジュールの取付け構造の平面図、(ｂ)はＡ−Ａ線に沿う断面図、（ｃ）はＢ−Ｂ線に沿う断面図。
【図６】同実施形態を示し、第３の支持部材の縦断正面図。
【図７】同実施形態を示し、棒状目地材の取付け構造を示す分解斜視図。
【図８】同実施形態を示し、（ａ）は棒状目地材の平面図、（ｂ）は同断面図。
【図９】この発明の第２の実施形態を示し、第３の支持部材の縦断正面図。
【図１０】この発明の第３の実施形態を示し、棒状目地材の取付け構造を示す分解斜視図。
【符号の説明】
２６ａ，２６ｂ…太陽電池モジュール
７８…棒状目地材
【図１】
0004713004.tif 000002
【図２】
0004713004.tif 000003
【図３】
0004713004.tif 000004
【図４】
0004713004.tif 000005
【図５】
0004713004.tif 000006
【図６】
0004713004.tif 000007
【図７】
0004713004.tif 000008
【図８】
0004713004.tif 000009
【図９】
0004713004.tif 000010
【図１０】
0004713004.tif 000011